(57)【要約】      （修正有）【課題】人間が踏下台に脚を踏込み、罠ロープに括られない様に、長円筒の中心部上面に人間用脚受け棒を備えた獣物捕獲罠を提供する。【解決方法】獣物捕獲罠は、地中に埋設し獣物に見えないように土や落ち葉をかぶせて仕掛ける長円筒の本体と、本体の最上面に設置された脚括りループを有するワイヤー５と、その下の円筒の上に設置された人間の安全の為の脚受け棒とを備える。脚受け棒の下に獣物の踏下板４を持ち、パンタグラフ方式の上下伸縮台１１の可動により獣物が踏下板を踏み下げると、トリガーと跳ね上げアームの係止ピンが開放され、跳ね上げバネが拡開して獣物を捕獲する。【選択図】図３
0003219738.tif 000002
【実用新案登録請求の範囲】
【請求項１】
長方形に似た長円筒の上部を開口した筒状（２）の中空体
器具本体の上部開口部が楕円筒であり筒の上面にループ状の脚括り罠ロープ（５）を設け、その下に人間の安全の為の脚受け棒（１）を備えた獣物類脚括り罠  内部が中空体の器具本体。
【請求項２】
長円筒開口部に人間の安全の為の脚受け棒（１）の下に踏板（４）を備え、踏台にコイル引バネお加設したパンタグラフ方式の踏下げ台（１１）  踏下げ台の踏圧により上り下りする可動を利用してトリガー係止ピン（１２）を備え  獣物が足首からかかとの後爪まで踏み下げると埋設した状態の跳ね上げアーム（１４）とトリガー係止ピン（１２）が開放され跳ね上げアーム（１５）が拡開することにより円筒上部に設けたループ状脚括りロープ（５）が素早く締まる獣類捕獲機上下伸縮装置長円筒踏下罠。
【請求項３】
長円筒上面に脚括りロープ持上部品（２０）と（２１）を備えた図の（３）に記載した脚括り罠、跳ね上げる拡開の原理を利用して持上部品（２０）と（２１）両方の溝にはめ込んだ脚括りロープが上方向に高く引き起こされると同時に溝から外れ、罠ロープワイヤーを縮径する為、獣物類の胸元まで上がる事により獣物が脚を急に上げても罠の空はじき失敗が起こらない獣類捕獲機脚括り罠  持上部品（２０）と（２１）は上向きに引き起こされた瞬間にロープが外れ、基の円筒の周りに納まる。
【請求項４】
獣類捕獲機（兼）捕獲動物回収器具
獣道に埋設して捕獲機として使用でき、〔請求項３〕に記載の持上部品（２０）と（２１）を備え  高さを低く製作した踏み下げ台付脚括り罠、
数メートルの持手の棒を取り付けると離れた場所から暴れまわる獣物の脚や首にロープを何本でも掛ける事が出来る。また、器具と持手棒はロープから外れる為何度も使用出来る捕獲動物安全回収器具罠。
【考案の詳細な説明】
【技術分野】
【０００１】  猪・鹿・熊など大型の獣を捕獲する罠に対して、
縮径可能なループ状ワイヤーで形成したロープを直線状の跳ね上げアームのバネの先端の小さい輪を通して反対向を基アームの先の小輪を通り立木等固定部材に定着され、地中埋設する脚括り罠。
【背景技術】
【０００２】  文献図−１、の上方に獣類の足の絵が書いてある猪や鹿の有蹄動物の中でも鹿はかかとの後爪が特に高い、爪先と後爪の間隔が長い、一般的な円筒や落とし穴の罠では特許文献でも示すように１〜２ｃｍ踏板が踏み下げられても、すべての罠は、係止が外れ脚括りロープが作動を開始、跳ね上げる仕掛けになっている、罠を踏み爪先のみ跳ね上げられる仕掛けが多く、捕獲が失敗する可能性の高いものが多い。【０００３】  文献図１．２．３で示すように、これまで沢山の研究者が考案されている踏込台は、図で示すように、踏込み部分が浅く、仕掛けのトリガー係止を獣が１０〜２０ｍｍ踏込んだ時点で解除される仕組みに考案されているので捕獲失敗が多く発生する
【先行技術文献】
【０００４】
【特許文献１】２００７  ２９６４
【０００５】
【特許文献２】２０１４  ２３３２２Ａ
【０００６】
【特許文献３】平成９年  １４９７５４
【公開文献】
【考案の概要】
【０００７】  本発明は、例えば鹿や猪などの野生動物を捕獲するための動物捕獲用罠に関し、特に動物を捕獲する際に、罠に入った動物の脚部を確実に捕獲する足括り罠方式の獣類捕獲用罠に関するものである。
【考案が解決しようとする課題】
【０００８】  本考案者が上記構成の足括り罠方式の獣類捕獲用罠について種々の改良を施しながら研究実験を行った結果、次のような課題を有している事が分かった。【０００９】  つまり、従来の足括り罠方式の獣類捕獲用罠は、捕獲用罠が作動しても動物が掛からない事、即ち「空はじき」が多いといった課題を有している事が分かった。
猪や鹿の有蹄動物の中でも鹿は踵の後爪が特に高く、爪先と後爪の間隔が長い。一般的な円筒の落とし穴の罠では１〜２ｃｍ踏板が踏み下げられても、係止が外れ足括りロープが作動を開始し跳ね上げる仕掛けになっているため鹿が罠を踏み込んだ際に爪先しか括れない仕掛けが多く、捕獲が失敗する可能性が高いものが多い。【００１０】  また、従来の括り罠は、猪や鹿などの大型動物はこれを股越してしまう事が多い事が分かった。
その理由は従来の括り罠は小型の円筒形の物が多い為である。
【課題を解決するための手段】
【００１１】  上記の課題を解決するために、動物が踏み台を５０〜６０ｍｍ踏み込んでから係止ピンが解除され、足首まで踏み込んでから脚括りロープが跳ね上がり締まる仕組みを考案した。
【考案の効果】
【００１２】  また、猪や鹿などの大型動物の歩幅が４０〜５０〜６０ｃｍと広いため、長円筒の踏み下げ罠にすることで動物が足を踏み込む確実性を上げた。【００１３】  図の２で示すように、かかとの後爪まで踏込み脚を括る方式のほかに、さらに確立を上げる為、図の３で示す脚括りロープ持上部品（２０）と（２１）を長円筒の上部に備え獣物が脚を高く上げても膝から胸元に掛かるようにロープ持上部品を開発したものである。【００１４】  長円筒の中心部には、人間の安全の為の足受け棒を備え、靴長１５ｃｍ以上の人の足は筒内に踏込む事が出来ない。また、埋設中に跳ね上げ動作を阻止する安全装置を長円筒から突出する解除ピンの先に穴を開き、危険性をなくした。
【図面の簡単な説明】
【００１５】
【図１】  長四角に似た長円形円筒の上面に脚括りループ状ワイヤーロープ  中心上面ロープの下に人間の安全の為の足受け棒設置
【図２】  上下伸縮台のパンタグラフ方式踏下台  獣類  猪鹿などの前爪からかかとの後爪まで５０〜６０ｍｍ円筒内の踏板を踏み下げてからロープが締まる状況
【図３】  〔図２〕の方式の罠に追加部品として確実性を高めるために符号（２０）と（２１）の脚括りロープ持上部品を円筒上面に加設し、円筒より１５０〜２００ｍｍ上方で胸元から膝の上でロープが締まる図
【図４】  捕獲機兼安全回収機具  地中に埋設して捕獲機  上下伸縮台を円筒内に仕込み、大さΦ２５０のフライパン型で高さ５ｃｍに持手を付け数メートル先から捕獲した獣物を動かないようにロープを掛ける事が出来る安全回収機  持棒をはずすと捕獲機になり、持棒を取付けると安全獣物回収機になる捕獲機である。
【考案を実施するための形態】
【００１６】  大型の脚長動物も長円筒で加設した場合、罠を股越すことが出来ず捕獲可能となった。
【００１７】  考案した長円筒踏下げ台脚括り罠は小さい動物の捕獲を必要とする場合は、動物の体重を想定して誰でも簡単に踏下台のバネを強くしたり弱くしたりと調節が出来る様、コイルバネの位置を工夫している。
【００１８】  四肢の脚先に蹄を持ち、猪や鹿は特に爪先立ちで歩行し、後爪（かかと）が他の動物より高い所に二番目の爪を持っている。この二番目の後爪まで足首全部が納まるように、５０〜６０ｍｍ踏み下げてから脚括りワイヤー付跳ね上げバネが開放される仕組みを考案した失敗の少ない、猪・鹿・熊等獣類捕獲機である。
【００１９】  背景技術の改良を研究した結果、今回の申請のような長円筒を考案し、開発の特徴として長円筒２５０形と３００形と大きく、脚括りロープは足首まで補足してから係止が解除される。（図２−３で示す通りである）
【００２０】  踏み込み用円筒と跳ね上げバネを組立安全装置の杭（ピン）を差した長円筒を、穴を掘り円筒罠を埋設して動物に分からないように土や落葉をかぶせる。スコップや手で少々押さても係止ピンが解除したり、再度、罠装置を仕掛け直す必要はありません。
最後に地上から見える安全装置の杭（ピン）を引き上げるだけで設置がすべて完了する獣類捕獲機を提供するものである。
【符号の説明】
【００２１】１．長円筒の上部中心に人的被害防止用足受け棒設置
２．長円筒外枠
３．上下伸縮装置  コイル引きバネ使用設置
４．上下伸縮台  踏台の上面に踏板
５．上部にループ状    脚括りワイヤーロープ
１０．踏み下げ台  上下伸縮台  動行高さ
１１．上下伸縮  パンタグラフ方式  踏み下げ台
１２．トリガー係止と跳ね上げアーム（１４）の支点  （１２）先端に安全ピンの穴
１３．基アームと基アーム取付支点
１４．点線の位置  捕獲機を地面に加設した状態の時点
１５．獣物、猪・鹿等が踏板と踏台を押圧し跳ね上げバネが拡開した状態
２０．脚括りロープ持上部品  左
２１．脚括りロープ持上部品  右
符号１０で５０〜６０ｍｍ踏み下げトリガーと跳ね上げバネが拡開し持上部品の左右の溝にはめ込んだ脚括りロープが跳ね上げバネにより１５ｃｍ以上持上げられ胸元で縮径する持上部品
２２  持手棒
２３  持手
捕獲機兼安全回収機具
地中に埋設して捕獲機
捕獲機で捕獲した獣物を回収する時点で数メートル先から脚や首にロープを掛け、動けないようにする為の装置
【図１】
0003219738.tif 000003
【図２】
0003219738.tif 000004
【図３】
0003219738.tif 000005
【図４】
0003219738.tif 000006
【手続補正書】
【提出日】平成30年7月27日(2018.7.27)
【手続補正１】
【補正対象書類名】実用新案登録請求の範囲
【補正対象項目名】全文
【補正方法】変更
【補正の内容】
【実用新案登録請求の範囲】
【請求項１】
長四角に似た長円筒の上部を開口した筒状（２）の獣物類捕獲踏下罠
内部に踏板（４）とトリガーピン（１２）を加設した脚括り罠の踏下台
上部開口部が楕円筒であり筒の上面にループ状の脚括り罠ロープ（５）を設け、その下に人間の安全の為の脚受け棒（１）を備え、人が歩行時、踏板（４）を踏下げる事が出来ないように開発
獣物が踏板（４）を踏み下げ、跳ね上げバネと円筒横面から出たトリガーピン（１２）の接点が開放され跳ね上げバネが拡開し長円筒の上面に設置したループ状脚括りロープ（５）が素早く縮径する獣類捕獲機上下伸縮装置長円筒踏下脚括り罠。
【請求項２】
長四角に似た長円筒開口部に人間の安全の為の脚受け棒（１）の下に踏板（４）を備え、踏台にコイル引バネを加設したパンタグラフ方式の踏下げ台（１１）  踏下げ台の踏圧により上り下りする可動を利用してトリガー係止ピン（１２）を備え  獣物が足首からかかとの後爪まで踏み下げると埋設した状態の跳ね上げアーム（１４）とトリガー係止ピン（１２）が開放され跳ね上げアーム（１５）が拡開することにより円筒上部に設けたループ状脚括りロープ（５）が素早く締まる請求項１に記載の長円筒器具本体に備えた獣類捕獲機上下伸縮装置長円筒踏下脚括り罠。
【請求項３】
長四角に似た長円筒上面に脚括りロープ持上部品（２０）と（２１）を備えた脚括り罠、跳ね上げるバネの拡開力の原理を利用して持上部品（２０）と（２１）両方の溝にはめ込んだ脚括りロープが上方向に高く引き起こされると同時に溝から外れ、罠ロープワイヤーを縮径する為、獣物類の胸元まで括りロープが上る事により獣物が脚を急に上げても罠の空はじき失敗が起こらない請求項１に記載の長円筒器具本体の上部に脚括りロープ持上部品を備えた獣類捕獲機上下伸縮装置長円筒踏下脚括り罠。
【手続補正２】
【補正対象書類名】明細書
【補正対象項目名】全文
【補正方法】変更
【補正の内容】
【考案の詳細な説明】
【技術分野】
【０００１】  縮径可能なループ状ワイヤーで形成したロープを直線状の跳ね上げアームのバネの先端の小さい輪を通して反対向を基アームの先の小輪を通り立木等固定部材に定着され、地中埋設する脚括り罠。
【背景技術】
【０００２】  文献図−１、の上方に獣類の足の絵が書いてある猪や鹿の有蹄動物の中でも鹿はかかとの後爪が特に高い、爪先と後爪の間隔が長い、一般的な円筒や落とし穴の罠では特許文献でも示すように１〜２ｃｍ踏板が踏み下げられても、すべての罠は、係止が外れ脚括りロープが作動を開始、跳ね上げる仕掛けになっている、罠を踏み爪先のみ跳ね上げられる仕掛けが多く、捕獲が失敗する可能性の高いものが多い。【０００３】  文献図１．２．３で示すように、これまで沢山の研究者が考案されている踏込台は、図で示すように、踏込み部分が浅く、仕掛けのトリガー係止を獣が１０〜２０ｍｍ踏込んだ時点で解除される仕組みに考案されているので捕獲失敗が多く発生する
【先行技術文献】
【０００４】
【特許文献１】２００７  ２９６４
【０００５】
【特許文献２】２０１４  ２３３２２Ａ
【０００６】
【特許文献３】平成９年  １４９７５４
【公開文献】
【考案の概要】
【０００７】  本考案は、例えば鹿や猪などの野生動物を捕獲するための動物捕獲用罠に関し、特に動物を捕獲する際に、罠に入った動物の脚部を確実に捕獲する足括り罠方式の獣類捕獲用罠に関するものである。
【考案が解決しようとする課題】
【０００８】  本考案者が上記構成の足括り罠方式の獣類捕獲用罠について種々の改良を施しながら研究実験を行った結果、次のような課題を有している事が分かった。【０００９】  つまり、従来の足括り罠方式の獣類捕獲用罠は、捕獲用罠が作動しても動物が掛からない事、即ち「空はじき」が多いといった課題を有している事が分かった。
猪や鹿の有蹄動物の中でも鹿は踵の後爪が特に高く、爪先と後爪の間隔が長い。一般的な円筒の落とし穴の罠では１〜２ｃｍ踏板が踏み下げられても、係止が外れ足括りロープが作動を開始し跳ね上げる仕掛けになっているため鹿が罠を踏み込んだ際に爪先しか括れない仕掛けが多く、捕獲が失敗する可能性が高いものが多い。【００１０】  また、従来の括り罠は、猪や鹿などの大型動物はこれを股越してしまう事が多い事が分かった。
その理由は従来の括り罠は小型の円筒形の物が多い為である。
【課題を解決するための手段】
【００１１】  上記の課題を解決するために、動物が踏み台を５０〜６０ｍｍ踏み込んでから係止ピンが解除され、足首まで踏み込んでから脚括りロープが跳ね上がり締まる仕組みを考案した。
【考案の効果】
【００１２】  また、猪や鹿などの大型動物の歩幅が４０〜５０〜６０ｃｍと広いため、長円筒の踏み下げ罠にすることで動物が足を踏み込む確実性を上げた。【００１３】  図の２で示すように、かかとの後爪まで踏込み脚を括る方式のほかに、さらに確立を上げる為、図の３で示す脚括りロープ持上部品（２０）と（２１）を長円筒の上部に備え獣物が脚を高く上げても膝から胸元に掛かるようにロープ持上部品を開発したものである。【００１４】  長円筒の中心部には、人間の安全の為の足受け棒を備え、靴長１５ｃｍ以上の人の足は筒内に踏込む事が出来ない。また、埋設中に跳ね上げ動作を阻止する安全装置を長円筒から突出する解除ピンの先に穴を開き、危険性をなくした。
【図面の簡単な説明】
【００１５】
【図１】  長四角に似た長円形円筒の上面に脚括りループ状ワイヤーロープ  中心上面ロープの下に人間の安全の為の足受け棒設置
【図２】  上下伸縮台のパンタグラフ方式踏下台  獣類  猪鹿などの前爪からかかとの後爪まで５０〜６０ｍｍ円筒内の踏板を踏み下げてからロープが締まる状況
【図３】  ［図２］の方式の罠に追加部品として確実性を高めるために符号（２０）と（２１）の脚括りロープ持上部品を円筒上面に加設し、円筒より１５０〜２００ｍｍ上方で胸元から膝の上でロープが締まる図
【考案を実施するための形態】
【００１６】  大型の脚長動物も長円筒で加設した場合、罠を股越すことが出来ず捕獲可能となった。
【００１７】  考案した長円筒踏下げ台脚括り罠は小さい動物の捕獲を必要とする場合は、動物の体重を想定して誰でも簡単に踏下台のバネを強くしたり弱くしたりと調節が出来る様、コイルバネの位置を工夫している。
【００１８】  四肢の脚先に蹄を持ち、猪や鹿は特に爪先立ちで歩行し、後爪（かかと）が他の動物より高い所に二番目の爪を持っている。この二番目の後爪まで足首全部が納まるように、５０〜６０ｍｍ踏み下げてから脚括りワイヤー付跳ね上げバネが開放される仕組みを考案した失敗の少ない、猪・鹿・熊等獣類捕獲機である。
【００１９】  背景技術の改良を研究した結果、今回の申請のような長円筒を考案し、開発の特徴として長円筒２５０形と３００形と大きく、脚括りロープは足首まで補足してから係止が解除される。（図２−５で示す通りである）
【００２０】  踏み込み用円筒と跳ね上げバネを組立安全装置の杭（ピン）を差した長円筒を、穴を掘り円筒罠を埋設して動物に分からないように土や落葉をかぶせる。スコップや手で少々押さても係止ピンが解除したり、再度、罠装置を仕掛け直す必要はありません。
最後に地上から見える安全装置の杭（ピン）を引き上げるだけで設置がすべて完了する獣類捕獲機を提供するものである。
【符号の説明】
【００２１】［図１］１．長円筒の上部中心に人的被害防止用足受け棒設置
２．長円筒外枠
３．上下伸縮装置  コイル引きバネ使用設置
４．上下伸縮台  踏台の上面に踏板
５．上下にループ状  脚括りワイヤーロープ
１１．上下伸縮台
［図２］１０．踏み下げ台  上下伸縮台  動行高さ
１１．上下伸縮  パンタグラフ方式  踏み下げ台
１２．トリガー係止と跳ね上げアーム  １２．の支点  先端に安全ピンの穴
１３．基アームと基アーム取付支点
１４．点線の位置  捕獲機を地面に加設した状態の時点
１５．獣物、猪・鹿等が踏板と踏台を押圧し跳ね上げバネが拡開した状態
［図３］４．獣物類が踏板を踏み下げる
５．脚括りロープが縮径する様子と先端を立木等に固定する
１０．踏板（４）と踏下台（１１）が５０〜６０ｍｍ踏み下げられる高さを示し            た形
１１．パンタグラフ方式踏下台と踏板（４）が踏み下げられた位置
１２．円筒横面から出たトリガーピン（１２）と跳ね上げバネの接点
１３．基アーム取付場所と基アーム（ワサ穴）に脚括りロープを通して地中に据            付け埋設時
１４．跳ね上げアームが円筒横面から出たトリガーピン（１２）と交差して地中            に加設した時の位置を点線で示している
１５．跳ね上げアーム…バネがトリガーピンから開放され拡開
２０．脚括りロープを持上部品で膝上、または胸元まで押し上げている
２０．及び２１．は同じ形の脚括りロープ持上部品で立ち上り上面に溝幅６ミリ両面７ミリのロープをはめ込み用の溝をプレス加工
２０．及び２１．は跳ね上げバネの拡開力を利用して持上部品が脚括りロープを高く持上げてからロープのみが溝から外れ高い位置で脚を括るように考案している。
【手続補正３】
【補正対象書類名】図面
【補正対象項目名】図４
【補正方法】削除
【補正の内容】
【手続補正書】
【提出日】平成30年10月29日(2018.10.29)
【手続補正１】
【補正対象書類名】実用新案登録請求の範囲
【補正対象項目名】全文
【補正方法】変更
【補正の内容】
【実用新案登録請求の範囲】
【請求項１】
長四角に似た長円筒の上部を開口した筒状（２）の獣物類捕獲踏下罠、内部に踏板（４）とトリガーピン（１２）を加設した脚括り罠の踏下台とを備え、上部開口部が楕円筒であり筒の上面にループ状の脚括り罠ロープ（５）を設け、その下に人間の安全の為の脚受け棒（１）を備え、人が歩行時、踏板（４）を踏下げる事が出来ないようにされており、獣物が踏板（４）を踏み下げ、跳ね上げバネと円筒横面から出たトリガーピン（１２）の接点が開放され跳ね上げバネ（１５）が拡開し長円筒の上面に設置したループ状脚括りロープ（５）が素早く縮径することを特徴とする獣類捕獲機上下伸縮装置長円筒踏下脚括り罠。
【請求項２】
長四角に似た長円筒開口部に人間の安全の為の脚受け棒（１）の下に踏板（４）を備え、踏台にコイル引バネを加設したパンタグラフ方式の踏下げ台（１１）と、  踏下げ台の踏圧により上り下りする可動を利用してトリガー係止ピン（１２）とを備え  獣物が足首からかかとの後爪まで踏み下げると埋設した状態の跳ね上げアーム（１４）とトリガー係止ピン（１２）が開放され、跳ね上げアーム（１５）が拡開することにより円筒上部に設けたループ状脚括りロープ（５）が素早く締まることを特徴とする請求項１に記載の獣類捕獲機上下伸縮装置長円筒踏下脚括り罠。
【請求項３】
長四角に似た長円筒上面左右に脚括りロープ持上部品（２０）と（２１）を備え、跳ね上げるバネの拡開力の原理を利用して持上部品（２０）と（２１）両方の溝にはめ込んだ脚括りロープが上方向に高く引き起こされると同時に溝から外れ、罠ロープワイヤーを縮径する為、獣物類の胸元まで括りロープが上る事により獣物が脚を急に上げても罠の空はじき失敗が起こらないことを特徴とする請求項１に記載の獣類捕獲機上下伸縮装置長円筒踏下脚括り罠。